(57)【要約】【課題】本発明は、簡易な構造で、作業者に高圧電路が充電状態にあることを確実に認知させることができる線路充電標示装置を提供する。【解決手段】  本発明に係る線路充電標示装置１Ａは、高圧電路３Ａ，３Ｂ，３Ｃが支持される鉄構２の高圧電路３Ｃ近傍に配置され、高圧電路３Ａ，３Ｂ，３Ｃの周辺に誘起される誘導電界により集電する集電部４と、該集電部４に接続され、集電部４によって集電された電力により駆動されると共に、鉄構の所定の位置に設置される少なくとも１つの充電状態標示部５Ａ，５Ｂとによって構成される。【選択図】  図１
2018066565.tif 000002
【特許請求の範囲】
【請求項１】
高圧電路が支持される鉄構の高圧電路近傍に配置され、充電している高圧電路の周辺に誘起される誘導電界により集電する集電部と、
前記集電部に接続され、前記集電部によって集電された電力により駆動されると共に、前記鉄構の所定位置に設置される少なくとも１つの充電状態標示部と、
によって構成されることを特徴とする線路充電標示装置。
【請求項２】
前記充電状態標示部は、
前記集電部に接続され、前記集電部に発生する誘導電圧を減圧する分圧部と、
前記分圧部に生じる電流を整流する整流部と、
前記整流部によって整流された電流によって発光する発光部と、
によって構成されることを特徴とする請求項１記載の線路充電標示装置。
【請求項３】
前記充電状態標示部から誘導電圧を感知して導通する誘導感知部と、前記鉄構上の作業者の移動経路上に配置される人感センサーからの信号によって導通する人感知部とを具備し、前記誘導感知部と前記人感知部とが同時に導通した場合に、外部電源と音声制御部とを導通させて音声警告を発生させる音声警告装置部を具備することを特徴とする請求項１又は２記載の線路充電標示装置。
【請求項４】
前記充電状態標示部に直列に電撃覚知部が接続され、該電撃覚知部が、前記鉄構の作業者移動経路の近傍に配置されることを特徴とする請求項１又は２記載の線路充電標示装置。
【請求項５】
前記集電部と前記鉄構との間に形成される空間の上方には、絶縁体で形成された鳥害防止器具が配置されることを特徴とする請求項１〜４のいずれか１つに記載の線路充電標示装置。
【発明の詳細な説明】
【技術分野】
【０００１】
本発明は、電力線が充電状態にあることを作業者に認識させる手段を備えた線路充電標示装置に関する。
【背景技術】
【０００２】
電力線が充電状態にある場合に作業者に認識させる手段としては、従来、以下に述べる特許文献１及び２に示される技術が公知となっている。
このうち、特許文献１（特開平８−７０５２４号公報）は、電力線が充電状態にあることを可視光により常時監視できるようにした表示器であって、充電状態検知用電極と、電極を充電状態の電力線に接近させて検知した電気量により選択発光する可視光発光体とを備えているもので、電力線が充電状態にあることを電力線と電極との間の静電容量を介して検知するものである。
【０００３】
また、特許文献２（特開２００８−２５１４５８号公報）は、高電圧部の充電状態を容易に確認するための発光体であって、複数の発光粒子を形成する無機ＥＬ材料と、複数の発光粒子を分散支持する誘電体材料とを有し、誘導電場下で発光するべく、誘導電場を発生する物体に隣接するように設けられるものであり、設置した場所における誘導電場と、この誘導電場により誘電体材料に発生した分極電荷が当該設置した場所にさらに形成する電場と、を合わせた電場下で、発光粒子を発光させるようにしたものである。
【先行技術文献】
【特許文献】
【０００４】
【特許文献１】特開平８−７０５２４号公報
【特許文献２】特開２００８−２５１４５８号公報
【発明の概要】
【発明が解決しようとする課題】
【０００５】
ところで、変電所構内作業における母線停電作業等においては、作業前に検電を行い、電気がないことを確認して作業を行う。この場合、甲乙等の２以上の母線（以下、二重母線という。）が近接して存在する場合において、鉄構への昇降経路が１つであると、鉄構上で作業対象となる母線側へ移動しなければならない。このような場合にも、鉄構への昇塔前及び鉄構上での移動前に作業対象母線を確認すると共に、検電器によって電気がないことを確認した上で、作業対象となる母線を判別するようにしている。
【０００６】
このように、二重母線構造であったり、鉄構の配置が複雑であったりする場合には、鉄構昇降前及び鉄構上での移動前の確認では作業対象母線の位置関係の把握が困難であり、作業対象を誤認する可能性があること、また、検電実施前に誤って活線に接近し、感電する危険性があることなどの問題が生じていた。
【０００７】
このため、従来の目視確認と作業前の検電による確認をより簡易にするために、例えば特許文献１に示されるように、電力線が充電状態にある場合に、その充電状態を光によって作業者に知らせる装置が提案されているが、駆動用電池等の外部電源を要する構造であるため、電池残量が低下した場合に動作不良を起こすという問題があり、さらに電池残量が低下した場合には、充電状態にあっても点灯しないため、作業者が安全であると誤認する不都合がある。
【０００８】
また、特許文献２の場合では、母線における交流電流によりその周囲に発生する誘導電場を利用して発光体が発光するため、別途電源を必要としないという利点はあるものの、屋外の太陽光の下では十分にその発光が確認できない場合もあり、また母線に直接付ける必要があるため、母線の近くまで行かないと確認できないという不具合がある。
【０００９】
本発明は、上述した点に鑑みてなされたものであり、簡易な構造で、作業者に母線が充電状態であることを確実に認知させることが可能な線路充電標示装置を提供することを主たる課題としている。
【課題を解決するための手段】
【００１０】
変電所内作業における母線停電作業等において、充電している高圧電路（充電電路）の周辺では、誘導電界が誘起され、逆に停電している高圧電路では、この誘導電界は誘起されないという特性があることから、この特性を利用して、充電電路によって誘起される誘導電界により集電する集電部を設け、この集電部を利用して誘導電圧を検出し、この誘導電圧によって光や音を発したり、人体に刺激を与えたりする標示部を直接又は間接的に動作させるようにしたものである。
【００１１】
即ち、本発明に係る線路充電標示装置は、高圧電路が支持される鉄構の高圧電路近傍に配置され、充電している高圧電路の周辺に誘起される誘導電界により集電する集電部と、前記集電部に接続され、前記集電部によって集電された電力により駆動されると共に、前記鉄構の所定位置に設置される少なくとも１つの充電状態標示部と、によって構されるものである。
【００１２】
これによって、高圧電路が充電されている場合には、誘導電界が誘起されることから、この誘導電界によって集電部に誘導電圧が発生し、この誘導電圧を電源として充電状態標示部を作動させて高圧電路が充電されていることを作業者に知らせることが可能となる。
【００１３】
ここで、前記充電状態標示部は、前記集電部に接続され、前記集電部に発生する誘導電圧を減圧する分圧部と、前記分圧部に生じる電流を整流する整流部と、整流部によって整流された電流によって発光する発光部とによって構成されるようにしてもよい。
【００１４】
これによって、高圧電路が充電されている場合に誘起される誘導電界によって集電部に発生した誘導電圧を分圧部、例えば分圧コンデンサによって減圧し、さらに整流部、例えば整流ダイオードによって直流電流が生成され、この直流電流が発光部、例えば発光ダイオード（ＬＥＤ）を発光させる。これによって、高圧電路が充電されていることを作業者に標示することが可能となる。
【００１５】
また、前記充電状態標示部は、鉄構の昇降梯子の近傍、特に一対の鉄塔及びその一対の鉄塔間に水平に橋架された水平部材からなる鉄構の前記昇降梯子から水平部材に移行する部分に配置されることが望ましい。さらにまた、充電状態標示部は、前記鉄構の昇降梯子の地上付近に設置しても良い。
【００１６】
また、線路充電標示装置は、前記充電状態標示部から誘導電圧を感知して導通する誘導感知部と、前記鉄構上の作業者の移動経路上に配置される人感センサーからの信号によって導通する人感知部とを具備し、前記誘導感知部と前記人感知部とが同時に導通した場合に、外部電源と音声制御部とを導通させて音声警告を発生させる音声警告装置部を具備するようにしてもよい。
【００１７】
これによって、音声警告装置部は、充電状態標示部が集電部に集電された誘導電圧により作動されると共に、人感センサーによって作業者を感知した場合にのみ、音声により作業者に高圧電路が充電されて危険であることが警告される。
【００１８】
さらに、前記充電状態標示部に直列に電撃覚知部を接続し、この電撃覚知部を、鉄構の作業者移動経路の近傍に配置するようにしてもよい。
【００１９】
これによって、電撃覚知部が充電状態標示部に直列に接続されることから、集電部に発生した誘導電圧が印加され、作業者が電撃覚知部に触れた場合、軽い電撃を作業者に与えることができるので、作業者に高圧電路が充電されていることを覚知させることが可能となる。この場合、誘起された誘導電圧は、最大３００Ｖにも達するが、誘起される電流は、０．３ｍＡ程度であるため、人体に危険を及ぼすものではない。
【００２０】
また、前記集電部と前記鉄構との間に形成される空間の上方には、絶縁体で形成された鳥害防止器具が配置されることが望ましい。
【００２１】
前記集電部と鉄構との間の空間は、鳥類が営巣又は留まって糞をすることで下部にある電力線に接触して地絡事故が発生しやすい場所となる。そこで、この空間の上方に絶縁体で形成された鳥害防止器具を設けることで、地絡事故を防止することが可能となる。
【００２２】
また、鉄構が、前述したように、一対の鉄塔部と、これら一対の鉄塔部を橋架する水平部材とによって構成されるものである場合には、前記集電部は、前記一方の鉄塔部と水平部材との連結部近傍であって前記一方の鉄塔部の高圧電路側側面に配置されることが好ましく、前記充電状態標示部は、前記一方の鉄塔部に設けられた昇降梯子から水平部材への移行部分の近傍や前記一方の鉄塔部の地上近傍に配置されることが望ましい。
【００２３】
本発明に係る線路充電標示装置は、別の形態の鉄構、例えば上記鉄構が左右二段で設けられた鉄構に対しても採用可能である。具体的には、所定の間隔を空けて３つの鉄塔部が配置され、それぞれの間を水平部材が橋架する構造を有し、それぞれの水平部材に３つの高圧電路（甲母線及び乙母線）が所定の間隔で絶縁体を介して吊下される鉄構においては、それぞれの水平部材の中央の高圧電路近傍に集電部を配置し、前記充電状態標示部を、中央に位置する鉄塔部の前記集電部に対応するそれぞれの側面に配置してもよい。この場合、前記集電部は、中央鉄塔よりも遠い位置ある高圧電路の近傍に設置するとよい。
【００２４】
さらに、線路充電標示装置は、例えば上記鉄構が上下二段で設けられた鉄構に対しても採用可能である。具体的には、上下二段の高さを有する一対の鉄塔部と、これら一対の鉄塔部の間を橋架する上下二段の水平部材が設けられ、それぞれの水平部材に３つの高圧電路（甲母線及び乙母線）が絶縁体を介して吊下される鉄構においては、上述した場合と同様にそれぞれの水平部材の中央の高圧電路近傍に集電部を配置し、前記充電状態標示部を一方の鉄塔部のそれぞれの集電部に対応する位置や前記一方の鉄塔部の地上付近に配置してもよい。
【発明の効果】
【００２５】
本発明によれば、作業者に対して充電電路に接近している危険を「光」「音」「感覚」により知らせることができるので、誤って充電電路に接近して感電する危険を未然に防止し、作業者の安全を確保することが可能となる。
【００２６】
また、本発明の線路充電標示装置を駆動させる電源として、充電電路から発生する誘導電圧を使用するため、既設鉄構等への設置に際して商用電源等の電源工事を必要とせずに取り付けを行うことができる。
【００２７】
さらに、充電電路に対してのみ、警告動作を行う構造であることから、作業者からの識別性を向上させることができる。
【００２８】
また、音声警報については、人感センサーによる接近感知と、充電電路からの誘導電圧検出の２条件が「ＡＮＤ条件」として成立した場合にのみ動作する構造であるため、人の接近のみで警報を発することがなく、また人が接近したときにだけ音声警報を発することが可能となる。
【図面の簡単な説明】
【００２９】
【図１】（ａ）は、本発明の実施例１に係る線路充電標示装置の配置状況を示した説明図であり、（ｂ）は本発明の実施例１に係る線路充電標示装置の電気回路例を示した回路図である。
【図２】本発明の実施例２に係る線路充電標示装置の配置状況を示した説明図である。
【図３】本発明の実施例２に係る線路充電標示装置の電気回路を示した回路図である。
【図４】本発明の実施例３に係る線路充電標示装置の配置状況を示した説明図である。
【図５】本発明の実施例３に係る線路充電標示装置の電気回路を示した回路図である。
【図６】本発明の実施例４に係る線路充電標示装置の配置状況を示した説明図である。
【図７】本発明の実施例５に係る線路充電標示装置の配置状況を示した説明図である。
【図８】本発明の実施例６に係る線路充電標示装置の配置状況を示した説明図である。
【発明を実施するための形態】
【００３０】
以下、この発明の実施例について図面により説明する。
【実施例１】
【００３１】
本発明の実施例１に係る線路充電標示装置１Ａは、例えば図１（ａ），（ｂ）に示されるように、鉄構２に支持される３本の高圧電路３Ａ，３Ｂ，３Ｃの近傍に配置される集電部４と、この集電部４に接続され、前記集電部４によって集電された電力により駆動されると共に、前記鉄構２の所定の位置に設置される少なくとも１つの充電状態標示部５とによって構成される。
【００３２】
この実施例１では、前記鉄構２は、一対の鉄塔部２Ａ，２Ｂと、この一対の鉄塔部２Ａ，２Ｂの間を橋架する水平部材２Ｃとによって構成され、前記水平部材２Ｃには、前記高圧電路３Ａ，３Ｂ，３Ｃが所定の間隔で絶縁体６Ａ，６Ｂ，６Ｃを介して吊下される。
【００３３】
前記集電部４は、例えば１ｍ×１ｍ程度の金属網であり、一方の鉄塔部２Ａの高圧電路側において前記高圧電路と対面する位置に配置されるもので、例えば、高圧電路３Ａ，３Ｂ，３Ｃの線路電圧が６６ｋＶである場合には、集電電圧は、負荷電流により変動するが、１５０〜３００Ｖであり、集電電流は、０．１〜０．３ｍＡである。
【００３４】
前記充電状態標示部５は、例えば図１（ｂ）で示すように、分圧部（分圧コンデンサ）５１が前記集電部４と接続され、数１０Ｖ程度まで分圧され、前記分圧コンデンサ５１に接続された整流部（整流ダイオード）５２によって直流電流に整流され、整流された直流電流が発光部としての発光ダイオード（ＬＥＤ）５３に供給され、発光されるものである。また、接地部５４は、前記鉄塔部２Ａに接続され、一極として機能している。
【００３５】
また、前記充電状態標示部５（５Ａ，５Ｂ）は、一方の鉄塔部２Ａに設けられた図示しない昇降梯子から水平部材２Ｃに移動する部分に配置される充電状態標示部５Ａと前記一方の鉄塔部２Ａの地上付近に設けられる充電状態標示部５Ｂとによって構成される。なお、充電状態標示部５Ａ，５Ｂは、いずれか一方のみを配設するようにしてもよい。
【００３６】
以上の構造により、例えば高圧電路３Ａ，３Ｂ，３Ｃが充電状態にある場合には、前記集電部４に誘導電圧が発生するため、この誘導電圧により前記発光ダイオード５３が発光する。このため、例えば作業者が昇降梯子に登る前、若しくは水平部材２Ｃへ移動する時点で、充電状態標示部５の発光を確認することができるので、高圧電路３Ａ，３Ｂ，３Ｃが充電電路であると判定でき、作業者の感電を防止することが可能となる。なお、発光ダイオード５３の点灯に加えて、通信によって作業者以外の者へ通知するようにしても良い。
【実施例２】
【００３７】
本発明の実施例２に係る線路充電標示装置１Ｂは、図２及び図３に示すように、実施例１に係る線路充電標示装置１Ａに音声警告装置部７を追加した構成となっている。この実施例２において、前記音声警告装置部７は、例えば太陽電池等の外部電源８によって駆動されるもので、前記充電状態標示部５（５Ａ，５Ｂ）の誘導電圧を感知して導通する誘導感知部７１と、前記鉄構２上の作業者の移動経路上に配置される人感センサー７Ａからの信号によって導通する人感知部７２とを具備し、前記誘導感知部７１と前記人感知部７２とが同時に導通した場合に、外部電源８と音声制御部７３とを導通させて音声警告を発生させるようにしている。
【００３８】
以上の構成により、高圧電路３Ａ，３Ｂ，３Ｃが充電状態にある場合に、集電部４には誘導電圧が発生し、前記発光ダイオード５３が発光する。これにより、高圧電路３Ａ，３Ｂ，３Ｃが充電状態にあることを標示するものであるが、これと同時に、誘導電圧によって音声警告装置部７の誘導感知部７１が導通状態となる。この状態で、作業者が作業のために鉄塔部２Ａの昇降梯子を登った場合、前記一方の鉄塔部２Ａから水平部材２Ｃに移行する箇所に設置された人感センサー７Ａが反応し、人感知部７２が導通状態となる。これによって、前記音声警告装置部７では、前記誘導感知部７１と前記人感知部７２とにおいてＡＮＤ条件が揃うことから、前記外部電源８と前記音声制御部７３とが導通するので、作業者に音声によって警告が発せされる。したがって、作業者に光と音声とによって警告することができるので、作業者の安全を確保することが可能となる。なお、音声警告装置部７に、発信装置を設け、音声警告装置部７の作動時に、作業者以外の者へ通知するようにしても良い。
【実施例３】
【００３９】
本発明の実施例３に係る線路充電標示装置１Ｃは、図４及び図５に示すように、実施例１に係る線路充電標示装置１Ａに電源覚知部９を追加した構成となっている。この電源覚知部９は、前記充電状態標示部４に直列に接続されるもので、前記鉄構２の一方の鉄塔部２Ａとこの鉄塔部２Ａと水平部材２Ｃの間の部分からなる作業者移動経路の近傍に配置される。この電源覚知部９は、作業者が接触することで電撃を与える電撃電極９０を具備する。
【００４０】
以上の構成により、高圧電路３Ａ，３Ｂ，３Ｃが充電状態にある場合に、集電部４には誘導電圧が発生し、前記発光ダイオード５３が発光すると同時に、前記電撃覚知部９に誘導電圧が印加されるため、作業者が電源電極９０に接触した場合に、作業者に電撃を与え、高圧電路３Ａ，３Ｂ，３Ｃが充電状態であることを知らせることが可能となる。
【実施例４】
【００４１】
本発明の実施例４に係る線路充電標示装置１Ｄは、図６で示すように、実施例１で示された鉄構２がいわゆる左右二段で設けられた鉄構２’のそれぞれの側に設けられる線路充電標示装置１Ｄ１，１Ｄ２から構成される。具体的には、この鉄構２’は、所定の間隔を空けて３つの鉄塔２Ａ，２Ｂ，２Ｄが配置され、それぞれの間を水平部材２Ｃ，２Ｅが橋架する構造を有し、それぞれの水平部材２Ｃ，２Ｅには３つの高圧電路３Ａ，３Ｂ，３Ｃ，３Ｄ，３Ｅ，３Ｆ（甲母線３Ａ，３Ｂ，３Ｃ及び乙母線３Ｄ，３Ｅ，３Ｆ）が所定の間隔で絶縁体６Ａ，６Ｂ，６Ｃ，６Ｄ，６Ｅ，６Ｆを介して吊下される。そして、それぞれの水平部材２Ｃ，２Ｅの中央の高圧電路３Ｂ，３Ｅの近傍に集電部４Ａ，４Ｂが配置されている。
【００４２】
また、前記充電状態標示部５Ａ１，５Ａ２は、中央に位置する鉄塔部２Ａの前記集電部４Ａ，４Ｂに近接した部分（水平部材２Ｃ，２Ｅとの連結部分近傍）に配置され、前記充電状態標示部５Ｂ１，５Ｂ２は鉄塔部２Ａの地上部分の近傍に配置される。なお、前記集電部４Ａ，４Ｂは、中央鉄塔２Ａよりも遠い位置にある高圧電路、例えば高圧電路３Ａ，３Ｆの近傍に設置するようにして良い。
【００４３】
このように、実施例４に係る鉄構２’においても、実施例１〜３の線路充電標示装置１Ａ，１Ｂ，１Ｃを設置することが可能であり、同様の作用効果を奏することが可能である。
【実施例５】
【００４４】
本発明の実施例５に係る線路充電標示装置１Ｅは、図７で示すように、実施例１で示された鉄構２がいわゆる上下二段で設けられた鉄構２”のそれぞれ段にかけて設けられる線路充電標示装置１Ｅ１，１Ｅ２によって構成される。この鉄構２”は、上下二段の高さを有する一対の鉄塔部２Ａ’，２Ｂ’と、これら一対の鉄塔部２Ａ’，２Ｂ’の間を橋架する上下二段の水平部材２Ｃ’，２Ｅ’が設けられ、それぞれの水平部材２Ｃ’，２Ｅ’には、それぞれ３つの高圧電路３Ａ，３Ｂ，３Ｃ，３Ｄ，３Ｅ，３Ｆ（甲母線３Ａ，３Ｂ，３Ｃ及び乙母線３Ｄ，３Ｅ，３Ｆ）が絶縁体６Ａ，６Ｂ，６Ｃ，６Ｄ，６Ｅ，６Ｆを介して吊下されている。
【００４５】
この場合も上述した場合と同様にそれぞれの水平部材２Ｃ’，２Ｅ’の中央の高圧電路３Ｂ，３Ｅ近傍に集電部４Ａ’，４Ｂ’が配置され、充電状態標示部１Ｅ１，１Ｅ２は、一方の鉄塔部２Ａ’のそれぞれの集電部４Ａ’，４Ｂ’に対応する位置に配置される充電状態標示部５Ａ３，５Ａ４と前記一方の鉄塔部２Ａ’の地上付近に配置される充電状態標示部５Ｂ３，５Ｂ４とによって構成される。
この例においても、充電状態標示部５Ａ３と５Ｂ３、５Ａ４と５Ｂ４は、それぞれいずれか一方のみを配設するようにしてもよい。
【００４６】
このように、実施例５に係る鉄構２”においても、実施例１〜３の線路充電標示装置１Ａ，１Ｂ，１Ｃを設置することが可能であり、これにより同様の作用効果を奏することが可能である。
【実施例６】
【００４７】
本発明の実施例６に係る線路充電標示装置１Ｆは、図８に示すように、鉄塔部２Ｆに絶縁体６Ｇ，６Ｈによって支持される高圧電路３Ｇの充電により生じる誘導電界を受ける集電部４と、集電部４に生じる誘導電圧によって作動する充電状態標示部５Ａ，５Ｂとを備えている。この充電状態標示部５Ａ，５Ｂは上述した実施例１〜３に記載されるものと同様のものである。
【００４８】
この実施例６においては、所定の大きさの金網からなる集電部４と鉄塔部２Ｅとの間に空間１０が生じるため、鳥類が営巣したり留まって糞をしたりすることで下部にある高圧電路３Ｇと接触して地絡事故が発生する可能性がある。そこで、前記空間１０の上方に鳥類防止器具１１が設けられている。
この鳥類防止器具１１は、硬化プラスチック等の絶縁体によって形成されるもので、突針状の突起を有するものである。これによって、集電部４と鉄塔部２Ｅとの間に生じる鳥類による不具合を防止することが可能となる。
【００４９】
尚、上述した実施例１〜６において、同一の箇所及び同様の機能を奏する箇所には同一符号を付してその説明を省略する。
【符号の説明】
【００５０】
１Ａ，１Ｂ，１Ｃ，１Ｄ，１Ｅ，１Ｆ  線路充電標示装置
２，２’，２”  鉄構
２Ａ，２Ｂ，２Ｄ，２Ａ’，２Ｂ’，２Ｆ  鉄塔部
２Ｃ，２Ｅ，２Ｃ’，２Ｅ’  水平部材
３Ａ，３Ｂ，３Ｃ，３Ｄ，３Ｅ，３Ｆ，３Ｇ  高圧電路
４，４Ａ，４Ｂ，４Ａ’，４Ｂ’  集電部
５，５Ａ，５Ｂ，５Ａ１，５Ａ２，５Ｂ１，５Ｂ２、５Ａ３，５Ａ４，５Ｂ３，５Ｂ４    充電状態標示部
６Ａ，６Ｂ，６Ｃ，６Ｄ，６Ｅ，６Ｆ，６Ｇ  高圧電路
７  音声警告装置部
７Ａ  人感センサー
８  外部電源（太陽電池）
９  電撃覚知部
１０  空間
１１  鳥類防止器具
５１  分圧部
５２  整流部
５３  発光部
５４  接地部
７１  誘電感知部
７２  人感知部
７３  音声制御部
【図１】
2018066565.tif 000003
【図２】
2018066565.tif 000004
【図３】
2018066565.tif 000005
【図４】
2018066565.tif 000006
【図５】
2018066565.tif 000007
【図６】
2018066565.tif 000008
【図７】
2018066565.tif 000009
【図８】
2018066565.tif 000010